(57)【要約】【課題】放送事業者が多数ある地上デジタルテレビジョン放送であっても、受信装置内のメモリを増大させることなく契約情報を記憶し、スクランブル放送が視聴できる放送受信装置を提供する。【解決手段】放送局からスクランブルして伝送されたスクランブル番組を受信する受信手段１０３と、放送事業者を識別する事業者識別情報及びこの放送事業者が放送局からスクランブルして伝送したスクランブル番組をデスクランブルするために用いるワーク鍵とを含む情報を記憶するための第１の記憶領域１１５と、ワーク鍵を用いてスクランブル番組を解くデスクランブラ１０４と、放送事業者を識別する事業者識別情報及びデスクランブルするために用いるワーク鍵を少なくとも有する個別情報を受信して、第１の記憶領域１１５に記憶された事業者識別情報を書換え可能とする書換え手段とを具備する。【選択図】      図１
2004228624.tif 000002
【特許請求の範囲】
【請求項１】
複数の放送局からスクランブルして伝送されたスクランブル番組を受信する受信手段と、
放送事業者を識別する事業者識別情報及びこの放送事業者が放送局からスクランブルして伝送した前記スクランブル番組をデスクランブルするために用いるワーク鍵とを少なくとも含む情報を記憶するための第１の記憶領域と、
前記第１の記憶領域に記憶された前記ワーク鍵を用いて前記スクランブル番組を解くデスクランブラと、
放送事業者を識別する事業者識別情報及び放送事業者が放送局からスクランブルして伝送したスクランブル番組をデスクランブルするために用いるワーク鍵を少なくとも有する個別情報を受信して、前記第１の記憶領域に記憶された前記事業者識別情報を書換え可能とする書換え手段とを具備することを特徴とする放送受信装置。
【請求項２】
複数の放送局からスクランブルして伝送されたスクランブル番組を受信する受信手段と、
放送事業者を識別する事業者識別情報及びこの放送事業者が放送局からスクランブルして伝送した前記スクランブル番組をデスクランブルするために用いるワーク鍵とを少なくとも含む情報を記憶するための第１の記憶領域と、
放送事業者が放送局からスクランブルして伝送したスクランブル番組をデスクランブルするために用いるワーク鍵を少なくとも含む情報を放送事業者によって記憶される領域が特定されている第２の記憶領域と、
前記第１の記憶領域或いは前記第２の記憶領域に記憶された前記ワーク鍵を用いて前記スクランブル番組を解くデスクランブラとを具備することを特徴とする放送受信装置。
【請求項３】
前記第１の記憶領域或いは前記第２の記憶領域のいずれかに前記情報を記憶するかを指示する識別を判定する手段と、
前記識別を判定する手段により前記第１の領域を指示した場合、放送事業者を識別する事業者識別情報及び放送事業者が放送局からスクランブルして伝送したスクランブル番組をデスクランブルするために用いるワーク鍵とを少なくとも有する個別情報を受信して、前記第１の記憶領域に記憶された前記事業者識別情報を書換え可能とする書換え手段と、
前記識別を判定する手段により前記第２の領域を指示した場合、記憶される領域が特定されている放送事業者が放送局からスクランブルして伝送したスクランブル番組をデスクランブルするために用いるワーク鍵を少なくとも有する個別情報を受信して、前記第２の記憶領域の前記放送事業者に対応して記憶された前記ワーク鍵を書換え可能とする書換え手段とを具備することを特徴とする請求項２記載の放送受信装置。
【請求項４】
前記放送受信装置を製造する時或いは販売する時に、前記第２の記憶領域に放送事業者を識別する放送事業者識別情報及びこの放送事業者が放送局からスクランブルして伝送したスクランブル番組をデスクランブルするために用いるワーク鍵とを少なくとも含む情報を記憶させることを特徴とする請求項２記載の放送受信装置。
【請求項５】
放送を提供する地域を識別するための地域識別情報を含む共通情報を受信する受信手段と、
前記受信手段により受信した前記地域識別情報及び予め前記第１の記憶領域により記憶されている地域識別情報とを比較する比較手段とを具備し、
前記比較手段により比較した結果、前記受信した地域識別情報及び前記記憶されている地域識別情報とが異なる場合に、放送局から伝送される個別情報を受信し、この受信した個別情報を用いて前記第１の記憶領域の事業者識別情報を書換えることを特徴とする請求項１或いは請求項２記載の放送受信装置。
【請求項６】
放送を提供する地域を識別するための地域識別情報がリスト化された放送地域リストを記憶する記憶手段と、
受信した放送局の共通情報から前記放送地域リストを検索する検索手段と、
前記検索の結果抽出された地域識別情報及び予め前記第１の記憶領域により記憶されている地域識別情報とを比較する比較手段とを具備し、
前記比較手段により比較した結果、前記抽出された地域識別情報及び前記記憶されている地域識別情報とが異なる場合に、放送局から伝送される個別情報を受信し、この受信した個別情報を用いて前記第１の憶領域の事業者識別情報を書換えることを特徴とする請求項１或いは請求項２記載の放送受信装置。
【発明の詳細な説明】
【０００１】
【発明の属する技術分野】
本発明は、放送受信装置に関する。
【０００２】
【従来の技術】
近年、通信衛星や放送衛星を用いたデジタル方式の放送サービスが運営され、それらのシステムでは、有料放送サービス等の限定受信システムがある。
限定受信システムの例として、非特許文献１である電波産業界（ＡＲＩＢ）標準規格「デジタル放送における限定受信方式」（ＡＲＩＢ  ＳＴＤ−Ｂ２５）に示すシステムがある。
【０００３】
また、非特許文献２である同標準規格「デジタル放送用受信装置標準規格」（ＡＲＩＢ  ＳＴＤ−Ｂ２１）には、その受信装置の構成例が記載されている。
上記限定受信システムでは、放送事業者毎に（チャンネル毎に）、各受信装置個別に対して、利用者の契約状態等に応じた個別情報を設定する。この個別情報はＥＭＭ（Ｅｎｔｉｔｌｅｍｅｎｔ  Ｍａｎａｇｅｍｅｎｔ  Ｍｅｓｓａｇｅ）データと呼ばれ、受信装置固有のＩＤ（Ｉｄｅｎｔｉｆｉｃａｔｉｏｎ）番号が付加されている。そしてＥＭＭデータが、放送局のセンタ装置から各受信装置に対して、放送信号に多重されて伝送される。また、ＥＭＭデータは、盗聴されないように、センタ装置と受信装置間で特定される受信装置固有のマスタ鍵（Ｋｍ）を用いて暗号化される。また、ＥＭＭデータには、放送事業者固有の全受信装置共通のワーク鍵（Ｋｗ）や、契約情報、有効期限等が含まれる。
【０００４】
受信装置では、固有に持つＩＤを用いて自分自身のＥＭＭデータを受信し、受信装置内に記憶されている契約情報や、ワーク鍵（Ｋｗ）をもとに限定受信放送サービスを受けることができる。
【０００５】
一方、番組はスクランブル化されて放送され、ワーク鍵（Ｋｗ）によって暗号化された共通情報（ＥＣＭ（Ｅｎｔｉｔｌｅｍｅｎｔ  Ｃｏｎｔｒｏｌ  Ｍｅｓｓａｇｅ）データ）を多重して伝送する。受信装置では、記憶する契約情報、同じく記憶するワーク鍵（Ｋｗ）によってＥＣＭデータの復号を行う。そして利用者は、番組のスクランブルを解くためのデスクランブル鍵（Ｋｓ）を得て、最終的に視聴することができる。
【０００６】
また、限定受信システムでは、著作権保護を目的とした無料スクランブル放送が放送される。無料スクランブル放送では、契約情報が付加されたＥＭＭデータは基本的に伝送せず、ワーク鍵（Ｋｗ）のみを伝送する。受信装置で無料スクランブル放送を視聴する場合には、記憶しているワーク鍵（Ｋｗ）を参照して、ＥＣＭデータのスクランブルを解く。
【０００７】
また、ワーク鍵（Ｋｗ）は、放送事業者固有で全受信装置共通の鍵であるので、セキュリティを確保するため、定期的に変更するのが一般的である。その場合には、ＥＭＭデータでワーク鍵の更新が行われる。
【０００８】
【非特許文献１】
電波産業界（ＡＲＩＢ）標準規格「デジタル放送における限定受信方式」（ＡＲＩＢ  ＳＴＤ−Ｂ２５）
【非特許文献２】
電波産業界（ＡＲＩＢ）標準規格「デジタル放送用受信装置標準規格」（ＡＲＩＢ
ＳＴＤ−Ｂ２１）
【０００９】
【発明が解決しようとする課題】
しかしながら、例えば地上デジタルテレビジョン放送では、各地域に放送事業者が存在し、特定地域に対してのサービスを行う。また、伝送帯域の異なる多種多様の放送事業者がサービスを行う。伝送帯域の狭い放送事業者や、サービスする内容、運用コストによっては、個別情報であるＥＭＭデータを伝送したくない放送事業者もある。
【００１０】
本発明は、放送事業者が多数ある地上デジタルテレビジョン放送であっても、受信装置内のメモリを増大させることなく契約情報を記憶し、スクランブル放送が視聴できる放送受信装置を提供することを目的とする。
【００１１】
また、個別情報であるＥＭＭデータを伝送しない放送事業者に対する放送受信装置を提供することを目的とする。
【００１２】
【課題を解決するための手段】
上記目的を達成するために、本発明は、複数の放送局からスクランブルして伝送されたスクランブル番組を受信する受信手段と、
放送事業者を識別する事業者識別情報及びこの放送事業者が放送局からスクランブルして伝送した前記スクランブル番組をデスクランブルするために用いるワーク鍵とを少なくとも含む情報を記憶するための第１の記憶領域と、
【００１３】
前記第１の記憶領域に記憶された前記ワーク鍵を用いて前記スクランブル番組を解くデスクランブラと、
放送事業者を識別する事業者識別情報及び放送事業者が放送局からスクランブルして伝送したスクランブル番組をデスクランブルするために用いるワーク鍵を少なくとも有する個別情報を受信して、前記第１の記憶領域に記憶された前記事業者識別情報を書換え可能とする書換え手段とを具備することを特徴とする放送受信装置を提供する。
【００１４】
また、本発明は、複数の放送局からスクランブルして伝送されたスクランブル番組を受信する受信手段と、
放送事業者を識別する事業者識別情報及びこの放送事業者が放送局からスクランブルして伝送した前記スクランブル番組をデスクランブルするために用いるワーク鍵とを少なくとも含む情報を記憶するための第１の記憶領域と、
【００１５】
放送事業者が放送局からスクランブルして伝送したスクランブル番組をデスクランブルするために用いるワーク鍵を少なくとも含む情報を放送事業者によって記憶される領域が特定されている第２の記憶領域と、
【００１６】
前記第１の記憶領域或いは前記第２の記憶領域に記憶された前記ワーク鍵を用いて前記スクランブル番組を解くデスクランブラとを具備することを特徴とする放送受信装置を提供する。
【００１７】
このとき、前記第１の記憶領域或いは前記第２の記憶領域のいずれかに前記情報を記憶するかを指示する識別を判定する手段と、
前記識別を判定する手段により前記第１の領域を指示した場合、放送事業者を識別する事業者識別情報及び放送事業者が放送局からスクランブルして伝送したスクランブル番組をデスクランブルするために用いるワーク鍵とを少なくとも有する個別情報を受信して、前記第１の記憶領域に記憶された前記事業者識別情報を書換え可能とする書換え手段と、
【００１８】
前記識別を判定する手段により前記第２の領域を指示した場合、記憶される領域が特定されている放送事業者が放送局からスクランブルして伝送したスクランブル番組をデスクランブルするために用いるワーク鍵を少なくとも有する個別情報を受信して、前記第２の記憶領域の前記放送事業者に対応して記憶された前記ワーク鍵を書換え可能とする書換え手段とを具備することができる。
【００１９】
これらの発明において、前記放送受信装置を製造する時或いは販売する時に、前記第２の記憶領域に放送事業者を識別する放送事業者識別情報及びこの放送事業者が放送局からスクランブルして伝送したスクランブル番組をデスクランブルするために用いるワーク鍵とを少なくとも含む情報を記憶させることができる。
【００２０】
また、放送を提供する地域を識別するための地域識別情報を含む共通情報を受信する受信手段と、
前記受信手段により受信した前記地域識別情報及び予め前記第１の記憶領域により記憶されている地域識別情報とを比較する比較手段とを具備し、
前記比較手段により比較した結果、前記受信した地域識別情報及び前記記憶されている地域識別情報とが異なる場合に、放送局から伝送される個別情報を受信し、この受信した個別情報を用いて前記第１の記憶領域の事業者識別情報を書換えることができる。
【００２１】
また、放送を提供する地域を識別するための地域識別情報がリスト化された放送地域リストを記憶する記憶手段と、
受信した放送局の共通情報から前記放送地域リストを検索する検索手段と、
前記検索の結果抽出された地域識別情報及び予め前記第１の記憶領域により記憶されている地域識別情報とを比較する比較手段とを具備し、
前記比較手段により比較した結果、前記抽出された地域識別情報及び前記記憶されている地域識別情報とが異なる場合に、放送局から伝送される個別情報を受信し、この受信した個別情報を用いて前記第１の憶領域の事業者識別情報を書換えることができる。
【００２２】
【発明の実施の形態】
以下、本発明の実施形態について図面を用いて詳細に説明する。なお、本発明は、以下の実施形態に限定されるものではない。
（実施形態１）
図１は、本発明の実施形態１に係わるスクランブル放送の受信装置を説明する構成図である。
図１に示すように、受信機本体１００は、チューナ回路１０３、デスクランブラ１０４、デコーダ回路１０５、表示回路１０８、制御信号受信回路１０６、制御回路１０７、キー入力回路１１０、ＩＤメモリ１０１及びインターフェース（Ｉ／Ｆ）１１１を有している。
【００２３】
また、受信機本体１００にはＩＣカード１１２が挿入されている。このＩＣカード１１２は、インターフェース（Ｉ／Ｆ）１１３、モジュール制御回路１１４、ＩＤメモリ１１５、マスタ鍵メモリ１１６及び契約情報メモリ１１７を有している。
【００２４】
この受信システムでは、受信機能の基本部分を実現する受信機本体１００と、スクランブル放送受信制御機能を実現するモジュールであるＩＣカード１１２を使用した例を示す。説明する受信装置の構成は、ＩＣカードを使用したものであるが、受信装置に全ての機能を備えた構成についても同様である。
【００２５】
図１において、ＩＣカード１１２は、ＩＣカード個別のＩＤ番号がＩＤメモリ１１５に記憶されている。電源ＯＮ時またはＩＣカード１１２を受信機本体１００に装着したときに、受信機本体１００はＩＣカード１１２内のＩＤメモリ１１５からＩＤ番号を読み出し、受信機本体１００内のＩＤメモリ１０１に記憶する。
【００２６】
入力端子１０２には、図示しないアンテナで受けた信号を周波数ダウンコンバートした放送信号が入力される。チューナ回路１０３では、信号の選択、復調、データの誤り訂正処理を行う。一般には、放送信号はＱＰＳＫ変調や８相ＰＳＫ、誤り訂正方式としてはリードソロモン誤り訂正符号、畳み込み符号などが用いられる。チューナ回路１０３からは復調、及び誤り訂正されたパケット形式の信号が出力され、パケット形式のデータは、一般にはＩＳＯ１３８１８−１規格（ＭＰＥＧ２  ＳＹＳＴＥＭ規格）のデータが用いられ、パケットデータには複数の放送信号、制御データが含まれる。
【００２７】
チューナ回路１０３から出力されたパケット信号は、デスクランブラ１０４に入力される。デスクランブラ１０４では、選択したスクランブル放送番組のスクランブルを解く回路である。
【００２８】
デスクランブルされた信号は、デコーダ回路１０５に入力される。デコーダ回路１０５では、放送信号の分離処理、映像音声信号のデコード処理を行う。また、多重された制御信号の分離も行う。
【００２９】
制御信号受信回路１０６では、放送信号に多重されている番組選択情報などを放送信号から分離して制御回路１０７に出力し、制御回路１０７において番組選択処理を行う。また、番組に多重された共通情報であるＥＣＭデータ及び個別情報であるＥＭＭデータを分離する。
【００３０】
表示回路１０８では、デコードされた映像音声信号に、操作メニューやメッセージ等、利用者との表示インターフェースを行う文字、図形等を重畳し、ＴＶ信号に変調を行った後に出力端子１０９に出力する。出力端子１０９にはＴＶ受像機が接続され、利用者は放送信号を視聴することができる。
【００３１】
キー入力回路１１０は、利用者の操作インターフェースを行うもので、利用者の番組選択などの選択内容を制御回路１０７に出力する。制御回路１０７では、受信した番組選択情報から表示回路１０８で利用者に番組のメニューを表示し、利用者は番組を選択してキー入力回路１１０に選択情報を入力する。制御回路１０７では、チューナ回路１０３、デスクランブラ１０４、デコーダ回路１０５などを制御し、利用者の選択した番組を出力端子１０９に出力する。
【００３２】
受信機本体１００が、番組視聴中にＥＭＭデータを受信した場合には、制御回路１０７において、ＩＤメモリ１０１に記憶するＩＤ番号を用いて、自分のＥＭＭデータのみを受信処理する。受信したＥＭＭデータは、ＩＣカード１１２内のモジュール制御回路１１４に対して、インターフェース（Ｉ／Ｆ）１１１、１１３を介して送られ、ＩＣカード１１２では、受信したＥＭＭデータをマスタ鍵メモリ１１６内に記憶するマスタ鍵を用いて復号し、伝送されたＥＭＭデータの内容を契約情報メモリ１１７に記憶する。
【００３３】
ＥＭＭデータの受信と受信した個別情報の契約情報メモリ１１７への設定は、例えば、利用者へ提示されたメニューから利用者の操作により、キー入力回路１１０に設定が指示され、制御回路１０７により、その地域で受信できる放送局をサーチし、全放送局を順次選局して、ＥＭＭデータの受信を行い、設定することができる。
【００３４】
また、受信装置の出荷時の設定により、利用者が受信装置を購入して初めて使用する時に、自動的に放送局をサーチし、全放送局を順次選局して、ＥＭＭデータの受信を行い、設定することができる。
【００３５】
図２に、契約情報メモリ１１７内に記憶されている契約情報のデータレコードを示す。
図２では、放送局ごとに視聴契約を行い、契約情報メモリ１１７内には、複数の放送局毎に複数のデータレコードが存在する例を示す。ただし、データレコード数は、放送受信可能な放送局数よりも少ないようにする。そして契約情報メモリは放送事業者を識別する放送事業者識別情報を書換え可能な領域を有する。こうすることでデータ量を少なくすることができる。
【００３６】
各レコードは、事業者識別情報２００、契約情報２０１、有効期限２０２、ワーク鍵識別（ＫｗＩＤ）２０３、ワーク鍵（Ｋｗ）２０４を有する。
事業者識別情報２００は、放送事業者を識別するための識別子である。契約情報２０１は、利用者が放送事業者との視聴契約によって設定されるデータである。有効期限２０２は、契約の有効期限の日時等を示す。ワーク鍵識別（ＫｗＩＤ）２０３はワーク鍵（Ｋｗ）２０４を特定するための識別子である。
【００３７】
図２では、ワーク鍵識別（ＫｗＩＤ）２０３とワーク鍵（Ｋｗ）２０４が１組である例を示したが、複数組存在してもよい。ワーク鍵（Ｋｗ）２０４は、放送局毎に伝送される共通情報としてのＥＣＭデータを、複合するための復号鍵である。これらのデータは、後述する放送局毎から伝送されるＥＭＭデータにより設定される。
【００３８】
また、以上説明した例では有料放送の運用である。無料放送の運用の場合には、契約情報メモリ１１７の内容は、少なくとも事業体識別２００、ワーク鍵識別（ＫｗＩＤ）２０３、ワーク鍵２０４で構成される。
【００３９】
本発明では、事業者を識別するための事業者識別情報を、メモリ内で書換え可能とすることで、地域別に多数存在する放送事業者に対して例えば引越し等で関東から関西に移動した場合、メモリ内に記憶されている関東の事業者識別情報を放送局から送られるＥＭＭデータを受信することで関西の事業者識別情報に書き換えることができるものである。通常事業者識別情報は、固定的にメモリ内に登録されており、書き換えることができないものであるが、本発明では放送を受信できる地域別に事業者識別情報を書き換えることができ、メモリ容量を低減できるものである。
【００４０】
図３に、伝送するＥＭＭデータの構成を示す。
図３に示すように、このＥＭＭデータは、ＩＤ３００、事業者識別３０１、有効期限３０２、契約情報３０３、ワーク鍵識別（ＫｗＩＤ）３０４、ワーク鍵（Ｋｗ）３０５及び改ざん検出３０６を有している。
【００４１】
ＩＤ３００は受信装置を特定するためのＩＤであり、このＩＤ３００に一致する放送受信装置に対して伝送される。事業者識別情報３０１は、放送局を識別するための識別子であり、放送局毎にＥＭＭデータが伝送される。有効期限３０２は、契約内容の有効期限を示す。契約情報３０３は、放送受信装置を利用する利用者の契約内容を示し、契約内容に従い視聴の可否が決まる。ワーク鍵識別（ＫｗＩＤ）３０４及びワーク鍵（Ｋｗ）３０５は、後述するＥＣＭデータの暗号を解くための鍵識別と、その鍵である。
【００４２】
一般にＥＭＭデータは暗号化されて伝送され、図１に示すＩＣカード１１２内のマスタ鍵メモリ１１６で記憶されるマスタ鍵（Ｋｍ）によって復号する。また、暗号化される範囲は、事業者識別情報３０１からワーク鍵（Ｋｗ）３０５までであり、改ざん検出３０６は、ＥＭＭデータが不正者によって改ざんされることを防止するための検査データである。改ざん検出３０６を秘匿して伝送する場合には、暗号化される範囲は、事業者識別３０１から改ざん検出３０６までとしてもよい。
【００４３】
また、実施例は有料放送の場合について説明したが、無料放送の場合には、有効期限３０２、契約情報３０３は必ずしも必要としない。
さらに、システムのセキュリティを確保するため、また契約上の性質から、鍵の更新を定期的に行うのが一般的であり、例えば、有効期限を定め、契約更新間隔を１年として、ＥＭＭデータを１年周期で更新して伝送し、有効期限３０２、ワーク鍵識別（ＫｗＩＤ）３０４、ワーク鍵（Ｋｗ）３０５を更新する。
【００４４】
図４に、伝送するＥＣＭデータの構成を示す。
図４に示すように、このＥＣＭデータは、事業者識別情報４００、ワーク鍵識別（ＫｗＩＤ）４０１、時刻情報４０３、参照契約情報４０４、番組情報４０５、スクランブル鍵（Ｋｓ）４０５及び改ざん検出４０６を有している。
【００４５】
放送番組がスクランブル放送番組である場合には、ＥＣＭデータをスクランブル放送番組に多重して伝送する。ＥＣＭデータは全受信装置共通のデータであり、番組の属性やスクランブルを解くためのデスクランブル鍵などの番組情報で構成される。
【００４６】
このＥＣＭデータは、例として時刻情報４０２からスクランブル鍵（Ｋｓ）４０５までの範囲が、ワーク鍵（Ｋｗ）を鍵として暗号化されている。事業者識別情報４００は、放送する放送事業者の識別子であり、ワーク鍵識別（ＫｗＩＤ）は、ワーク鍵（Ｋｗ）を特定するための識別情報である。
【００４７】
時刻情報４０２は、番組が放映される時刻を表す。参照契約情報４０３は、ＩＣカード１１２内の契約情報メモリ１１７に記憶する契約情報２０１と比較参照するための情報であり、両者の比較により、契約の判定を行う。番組情報４０４は、例えば番組の番号や属性などを示す。スクランブル鍵（Ｋｓ）４０５は、スクランブル伝送される番組のスクランブルを解くための鍵である。改ざん検出４０６は、ＥＣＭデータが不正者によって改ざんされることを防止するための検査データである。改ざん検出４０６を秘匿して伝送する場合には、暗号化される範囲は、時刻情報４０２から改ざん検出４０６までを暗号化の範囲としてもよい。
【００４８】
また、本実施形態では有料放送の場合について説明したが、無料放送の場合には、参照契約情報４０３は必ずしも必要としない。
図１において、前述したように、契約された受信装置内のＩＣカード１１２の契約情報メモリ１１７には、予めＥＭＭデータによって、事業者識別情報２００、契約情報２０１、有効期限２０２、ワーク鍵識別（ＫｗＩＤ）２０３、ワーク鍵（Ｋｗ）２０４が記憶されている。
【００４９】
受信機本体１００が、スクランブル放送を選局し、ＥＣＭデータを受信すると、ＥＣＭデータは、制御回路１０７からＩＣカード１１２内のモジュール制御回路１１４に対して、インターフェース（Ｉ／Ｆ）１１１、１１３を介して送られる。モジュール制御回路１１４では、ＥＣＭデータ内の事業者識別情報４００に対応する契約情報メモリ１１７内のデータレコードを参照し、そのレコード内のワーク鍵識別（ＫｗＩＤ）２０３と、ＥＣＭデータ内のワーク鍵識別（ＫｗＩＤ）４０１を比較する。一致する場合には、契約情報メモリ１１７内のワーク鍵（Ｋｗ）２０４を読み込み、ＥＣＭデータをワーク鍵（Ｋｗ）を用いて復号する。
【００５０】
ＥＣＭデータを復号化した後、ＥＣＭデータ内の改ざん検出４０７を判定し、ＥＣＭデータ内の時刻情報４０２と契約情報メモリ１１７内の有効期限２０２、ＥＣＭデータ内の参照契約情報４０３と契約情報メモリ１１７内の契約情報２０１をそれぞれ比較し、有効期限内で、契約判定が確認された場合には、ＥＣＭデータ内のスクランブル鍵（Ｋｓ）４０５を、モジュール制御回路１１４から、インターフェース（Ｉ／Ｆ）１１３及び１１１を介して、受信機本体１００内の制御回路１０７に送る。さらにスクランブル鍵（Ｋｓ）は、デスクランブラ１０４に送られ、デスクランブラ１０４では、スクランブル伝送された番組のデスクランブルを行い、利用者は番組視聴することができる。
【００５１】
ＥＣＭデータの事業者識別情報４００に対応する放送局のデータが契約情報メモリ１１７内に存在しない場合、ワーク鍵識別（ＫｗＩＤ）が一致しない場合、ＥＣＭデータの改ざんが検出された場合、有効期限外である場合、契約外である場合は、モジュール制御回路１１４はスクランブル鍵（Ｋｓ）を受信機本体１００内の制御回路１０７に送らず、利用者は選択した番組を視聴することができない。
【００５２】
また、本実施形態では有料放送の場合について説明したが、無料放送の場合には、有効期限２０２、契約情報２０１の判定は必ずしも必要としない。
（実施形態２）
図５は、本発明の実施形態２に用いられる放送受信装置内に設けられた契約メモリの構成を示している。本実施形態における方送受信装置は、契約メモリ内の構成以外、図１に示したものと同じ構成となっているのでその詳しい説明は省略する。
【００５３】
図５に示すように、ＩＣメモリ１１２に設けられた契約メモリ１１７は、事業者識別情報１が固定的に記憶された固定記憶領域５００と、前述したように事業者識別情報を書換え可能とした可変記憶領域５０１を有している。固定記憶領域５００と可変記憶領域５０１のそれぞれの領域には、複数のデータレコードが存在する。固定記憶領域５００の各データレコードは、固定的に記憶される１つの放送事業者に対応し、固定事業者識別情報５０２、固定契約情報５０３、固定有効期限５０４、固定ワーク鍵識別（ＫｗＩＤ）５０５、固定ワーク鍵（Ｋｗ）５０６を有している。
【００５４】
固定記憶領域５００は、契約情報メモリの内容をダイナミックに変更せずに固定的にデータを記憶するエリアである。固定記憶領域５００内のデータは、後述する事業者区分によって固定的に記憶する領域が割り当てられる。また、ＥＭＭデータの伝送による設定を行わずに、受信機本体１００、またはＩＣカード１１２を製造するとき、または販売するときにおいて、固定的にデータを書き込むことも可能である。
【００５５】
また、固定記憶領域５００内の固定事業者識別情報５０２は、事業者識別によって領域が特定される場合には、必ずしも必要ではない。
可変記憶領域５０１内のデータは、前述したように各放送事業者の放送局から伝送されるＥＭＭデータを受信することによって、ダイナミックに書き換え可能である。
【００５６】
図６に、伝送するＥＭＭデータの構成を示す。
このＥＭＭデータは、ＩＤ３００、事業者識別情報３０１、事業者区分６００、有効期限３０２、契約情報３０３、ワーク鍵識別（ＫｗＩＤ）、ワーク鍵（Ｋｗ）及び改ざん検出３０６を有している。
【００５７】
事業者区分６００は、契約情報３０３をＩＣカード１１２内の契約情報メモリ１１７の、固定記憶領域５００に書き込むか、可変記憶領域５０１に書き込みを行うかを示す。例えば、事業者区分６００が０の場合は、可変記憶領域５０１への書き込み、事業者区分６００が０以外である場合には、固定記憶領域５００内のデータレコード番号を表すようにする。ここでは固定記憶領域５００に記憶された情報のうち事業者識別情報は書換えないが、これに対応するワーク鍵は書換え可能とするものである。
【００５８】
ＩＣカード１１２内のモジュール制御回路１１４では、受信したＥＭＭデータの事業者区分６００を判定し、事業者区分６００が０である場合には、契約情報メモリ１１７内の可変記憶領域５０１へデータを書き込む。事業者区分６００が０以外である場合には、その番号に対応するデータレコードに対してデータを書き込むようにする。
【００５９】
ここでは説明のため、事業者区分６００をＥＭＭデータ内に設けたが、事業者識別情報３０１の値によって、固定記憶領域５００に書き込む放送局のＥＭＭデータ、または可変記憶領域５０１に書き込む放送局のＥＭＭデータとしても良い。
【００６０】
また、固定記憶領域５００を使用する放送局が、ＥＭＭデータを伝送しない場合には、受信機本体１００またはＩＣカード１１２を製造するときまたは販売するときに、固定的にデータを書き込むようにする。その場合には、必ずしもＥＭＭデータ内に事業者区分６００は必要としない。
【００６１】
次に、図７に放送事業者における放送局の構成概略図を示す。本発明とは直接関わらない機能部分については省略している。図７のように２つのタイプの放送局である放送受信装置内の契約情報メモリの可変記憶領域を使用する放送局７００と固定記憶領域を使用する放送局７１５を示している。
【００６２】
図７に示すように、可変記憶領域を使用する放送局７００は、番組送出機能部７０１、多重部７０２、スクランブル部７０３、放送送出部７０４、ＥＣＭ生成部７０６、ＥＭＭ生成部７１１を有している。
【００６３】
番組送出機能部７０１は、番組を制作し送出する機能である。番組制作機能部７０１から番組を伝送するためのエンコード機能を含み、パケット形式のデータを多重部７０２に出力する。多重部７０２では、ＥＣＭ生成部７０６から出力されたＥＣＭデータと、ＥＭＭ生成部７１１から出力されるＥＭＭデータを多重する。スクランブル部７０３では、ＥＣＭ生成部７０６で生成するＥＣＭデータ内のスクランブル鍵（デスクランブル鍵）と同期して、番組のデータパケットを、スクランブル鍵を用いてスクランブルする。放送送出部７０４では、データパケットに誤り訂正符号を付加して、変調を行い、適当な周波数にアップコンバート、増幅して送出端子７０５に出力する。
【００６４】
ＩＤリスト７１２では、全ての受信装置のＩＤを管理する。マスタ鍵リスト７１３では、全ての受信装置に固有な複数のマスタ鍵（Ｋｍ）を管理する。契約情報リスト７１４では、全ての受信装置（利用者）の契約情報や有効期限を管理する。
【００６５】
また、放送事業者毎のデータとして、事業者識別情報７０７、ワーク鍵識別（ＫｗＩＤ）７０８、ワーク鍵（Ｋｗ）７０９、事業者区分７１０を管理する。
ＥＭＭ生成部７１１では、受信装置毎のデータである、ＩＤ、マスタ鍵（Ｋｍ）、有効期限、契約情報と、放送事業者毎のデータである、事業者識別７０７、ワーク鍵識別（ＫｗＩＤ）７０８、ワーク鍵（Ｋｗ）７０９、事業者区分７１０から、受信装置固有のＥＭＭデータを生成、かつ暗号化を行う。
【００６６】
ＥＣＭ生成部７０６では、番組に関する情報やスクランブル鍵、事業者識別情報７０７、ワーク鍵識別（ＫｗＩＤ）７０８、ワーク鍵（Ｋｗ）７０９からＥＣＭデータを作成、かつ暗号化を行う。
【００６７】
固定領域を使用する放送局７１５は、番組送出機能部７０１、多重部７０２、スクランブル部７０３、放送送出部７０４、ＥＣＭ生成部７０６を有している。事業者識別７０７、ワーク鍵識別（ＫｗＩＤ）及びワーク鍵（Ｋｗ）はＥＣＭ生成部７０６によってＥＣＭデータとして生成される。
【００６８】
この例では、固定領域を有する放送局７１５内にＥＭＭ生成部が存在しないが、ＥＭＭデータを伝送する場合には、可変領域を使用する放送局７００と同様な構成で、ＥＭＭデータを伝送する。ＥＭＭデータを伝送する場合には、受信装置、またはＩＣカードにおいて、製造する時または販売する時にその旨のデータを書きこむことが必要である。
【００６９】
以上説明したように、放送受信装置内の契約情報メモリ内に固定記憶領域と可変記憶領域を設けることにより、システムで固定的に存在する放送局や各地域に存在して書換え可能とする放送局などに対して、受信装置内のメモリを効率的に使用して、契約情報の管理ができ、スクランブル放送の番組視聴ができる。
【００７０】
また、固定記憶領域を使用する放送局に対しては、地域に限定しない、例えば全国的な放送事業者では固定的に運用ができ、また、放送受信装置に製造時または販売時に契約情報を設定することにより、ＥＭＭデータを伝送しない運用を行うことができる。
【００７１】
（実施形態３）
次に、本発明の実施形態３について説明する。先の実施形態において説明した内容については、説明を省略する。
図８は、伝送するＥＣＭデータの構成を示したものである。
図８に示すように、このＥＣＭデータは、事業者グループ識別情報４００、変更制御８００、ワーク鍵識別（ＫｗＩＤ）４０１、時刻情報４０２、参照契約情報４０３、番組情報４０４、スクランブル鍵（Ｋｓ）及び改ざん検出４０６を有している。
【００７２】
変更制御８００は、例えば、新しい放送局が開局した場合または既にある放送局が閉局した場合など、システムが変更された場合に例えば１にセットする。変更制御８００が１である放送を受信した場合には、受信機本体１００内の制御回路１０７は、ＩＣカード１１２内のモジュール制御回路１１４に対して、Ｉ／Ｆ１１１、１１３を介してデータの変更を指示する。モジュール制御回路１１４は、契約情報メモリ１１７内のデータをクリアし、受信機本体１００は、全ての放送局をサーチしてＥＭＭデータする。受信したＥＭＭデータの内容は、契約情報メモリ１１７内に記憶する。
【００７３】
変更制御８００は、説明のためＥＣＭデータ内に設けたが、放送局から受信装置に伝送される他のデータに存在してもよい。
以上、説明したように、放送局から受信装置に対して、契約情報メモリの内容を書き換える指示を設けることにより、受信装置内の契約情報メモリの内容を書き換えることができ、システムの変更などに対してスクランブル放送の番組を視聴することができる。
【００７４】
（実施形態４）
次に、本発明の実施形態４について説明する。先の実施形態において説明した内容については、説明を省略する。
図９は、本実施形態４における放送受信装置の構成を示し、図１０はＥＣＭの構成を示している。
図９に示すように、地域コードメモリ９００は、受信機本体１００が設置された地域のコードを記憶する。地域コードは、図１０に示すＥＣＭデータ内の地域コード１０００によって設定される。受信機本体１００内の制御回路１０７では、地域コードメモリ９００に記憶する地域コードと、ＥＣＭデータ内の地域コード１０００を比較し、一致しない場合には、放送受信装置が移動したことと判断し、地域コードメモリ９００に受信した地域コード１０００を記憶し、ＩＣカード１１２内のモジュール制御回路１１４に対して、Ｉ／Ｆ１１１、１１３を介してデータの変更を指示する。
【００７５】
モジュール制御回路１１４は、契約情報メモリ１１７内のデータをクリアし、受信機本体１００は、全ての放送局をサーチしてＥＭＭデータする。受信したＥＭＭデータの内容は、契約情報メモリ１１７内に記憶する。
【００７６】
地域コード１０００は、説明のためＥＣＭデータ内に設けたが、放送局から受信装置に伝送される他のデータに存在してもよい。
以上、説明したように、放送局から放送受信装置に対して、地域を示す情報を伝送し、放送受信装置でそれを判定することにより放送受信装置の移動を検知し、放送受信装置内の契約情報メモリの内容を書き換えることができ、放送受信装置の移動に対してスクランブル放送の番組を視聴することができる。
【００７７】
（実施形態５）
次に、本発明の実施形態５について説明する。先の実施形態において説明した内容については、説明を省略する。
図１１は、本実施形態の放送受信装置の構成を示し、図１２は放送受信装置内の事業者リストメモリの内容を示す。
図１１における事業者リストメモリ１１００は、放送局の属する地域のリストである。事業者リストメモリ１１００の内容を図１２に示す。事業者リストメモリ１１００には、放送局毎に割り当てられた事業者識別情報１２００に対する地域コード１２０１がリスト化して記憶されている。事業者リストメモリ１１００の内容は、受信装置設計・製造、または放送局からの伝送データによって設定する。
【００７８】
受信機本体１００の制御回路１０７では、図４に示すＥＣＭデータを受信すると、ＥＣＭデータ内の事業者識別情報４００から、事業者リストメモリ１１００を参照し、地域コード１２０１を得る。地域コードメモリ９００に記憶する地域コードと、事業者リストメモリ１１００内の地域コード１２０１を比較し、一致しない場合には、放送受信装置が移動したことと判断し、地域コードメモリ９００に事業者メモリ内の地域コード１２０１を記憶し、ＩＣカード１１２内のモジュール制御回路１１４に対して、Ｉ／Ｆ１１１、１１３を介してデータの変更を指示する。モジュール制御回路１１４は、契約情報メモリ１１７内のデータをクリアし、受信機本体１００は、全ての放送局をサーチしてＥＭＭデータする。受信したＥＭＭデータの内容は、契約情報メモリ１１７内に記憶する。
【００７９】
以上、説明したように、放送受信装置内において、放送局の地域管理をすることにより、受信装置は受信装置の移動を検知し、受信装置内の契約情報メモリの内容を書き換えることができ、受信装置の移動に対してスクランブル放送の番組を視聴することができる。
【００８０】
【発明の効果】
本発明は、放送事業者が多数ある地上デジタルテレビジョン放送であっても、受信装置内のメモリを増大させることなく契約情報を記憶し、スクランブル放送が視聴できる放送受信装置を提供することができる。また、個別情報であるＥＭＭデータを伝送しない放送事業者に対する放送受信装置を提供することができる。
【図面の簡単な説明】
【図１】本発明の実施形態に係る放送受信装置の構成図。
【図２】本発明に用いる契約情報メモリに記憶されたデータの構成図。
【図３】本発明に用いるＥＭＭデータの構成図。
【図４】本発明に用いるＥＣＭデータの構成図。
【図５】本発明の契約情報メモリの構成図。
【図６】本発明に用いるＥＭＭデータの構成図。
【図７】本発明に用いる放送局の構成図。
【図８】本発明に用いるＥＣＭデータの構成図。
【図９】本発明の別の実施形態に係る放送受信装置の構成図。
【図１０】本発明に用いるＥＣＭデータの構成図。
【図１１】本発明の別の実施形態に係る放送受信装置の構成図。
【図１２】本発明に用いる事業者リストの構成図。
【符号の説明】
１００・・・受信機本体
１０１・・・ＩＤメモリ
１０２・・・端子
１０３・・・チューナ回路
１０４・・・デスクランブラ
１０５・・・デコーダ回路
１０６・・・制御信号受信回路
１０７・・・制御回路
１０８・・・表示回路
１０９・・・端子
１１０・・・キー入力回路
１１１・・・インターフェース
１１２・・・ＩＣカード
１１３・・・インターフェース
１１４・・・モジュール制御回路
１１５・・・ＩＤメモリ
１１６・・・マスタ鍵メモリ
１１７・・・契約情報メモリ
２００・・・事業者識別情報
２０１・・・契約情報
２０２・・・有効期限
２０３・・・ワーク鍵識別
２０４・・・ワーク鍵
３００・・・ＩＤ
３０１・・・事業者識別情報
３０２・・・有効期限
３０３・・・契約情報
３０４・・・ワーク鍵識別
３０５・・・ワーク鍵
３０６・・・改ざん検出
４００・・・事業者識別情報
４０１・・・ワーク鍵識別
４０２・・・時刻情報
４０３・・・参照契約情報
４０４・・・番組情報
４０５・・・スクランブル鍵
４０６・・・改ざん検出
５００・・・固定領域
５０１・・・可変領域
５０２・・・固定事業者識別情報
５０３・・・固定契約情報
５０４・・・固定有効期限
５０５・・・固定ワーク鍵識別
５０６・・・固定ワーク鍵
５０７・・・可変事業者識別情報
５０８・・・可変契約情報
５０９・・・可変有効期限
５１０・・・可変ワーク鍵識別
５１１・・・可変ワーク鍵
６００・・・事業者区分
７００・・・可変領域を使用する放送局
７０１・・・番組送出機能部
７０２・・・多重部
７０３・・・スクランブル部
７０４・・・放送送出部
７０５・・・端子
７０６・・・ＥＣＭ生成部
７０７・・・事業者識別情報
７０８・・・ワーク鍵識別
７０９・・・ワーク鍵
７１０・・・事業者区分
７１１・・・ＥＭＭ生成部
７１２・・・ＩＤリスト
７１３・・・マスタ鍵リスト
７１４・・・契約情報リスト
７１５・・・固定領域を使用する放送局
７１６・・・端子
８００・・・変更制御
９００・・・地域コードメモリ
１０００・・・地域コード
１１００・・・事業者リストメモリ
１２００・・・事業者識別情報
１２０１・・・地域コード
【図１】
2004228624.tif 000003
【図２】
2004228624.tif 000004
【図３】
2004228624.tif 000005
【図４】
2004228624.tif 000006
【図５】
2004228624.tif 000007
【図６】
2004228624.tif 000008
【図７】
2004228624.tif 000009
【図８】
2004228624.tif 000010
【図９】
2004228624.tif 000011
【図１０】
2004228624.tif 000012
【図１１】
2004228624.tif 000013
【図１２】
2004228624.tif 000014